(57)【特許請求の範囲】
【請求項１】
例えば、人の生き方や企業のあり方等の物事の指針について考えるために用いられる思考補助具であって、
指針に関連する事項を記入するための第１記入領域が設けられたコア記入体と、
指針に関連する事項を記入するための第２記入領域が設けられ、前記コア記入体を内包する外殻記入体とを具備することを特徴とする思考補助具。
【請求項２】
前記第２記入領域の少なくとも一部が、記入内容を書き換え可能な書き換え可能領域であることを特徴とする請求項１記載の思考補助具。
【請求項３】
前記外殻記入体が、前記コア記入体を内包した状態で、外側から前記第１記入領域を視認するための視認部を具備することを特徴とする請求項１又は２記載の思考補助具。
【請求項４】
前記外殻記入体が、前記コア記入体と比較して大きいものであることを特徴とする請求項１、２又は３記載の思考補助具。
【請求項５】
前記コア記入体が、球体形状をなすものであることを特徴とする請求項１、２、３又は４記載の思考補助具。
【請求項６】
前記外殻記入体が、前記コア記入体を出し入れするための出入口を具備することを特徴とする請求項１、２、３、４又は５記載の思考補助具。
【請求項７】
前記外殻記入体が複数設けられ、
前記複数の外殻記入体が、前記コア記入体を内包するように層構造をなすものであることを特徴とする請求項１、２、３、４、５又は６記載の思考補助具。
【請求項８】
前記外殻記入体の少なくとも１つが、多面体形状をなすことを特徴とする請求項１、２、３、４、５、６又は７記載の思考補助具。
【請求項９】
前記コア記入体及び前記外殻記入体を収容するカバーをさらに具備し、
前記カバーには、開口が設けられ、
前記外殻記入体が、前記カバーに前記コア記入体及び前記外殻記入体が収容された状態で、前記開口から前記第１記入領域を視認できるように構成されていることを特徴とする請求項１、２、３、４、５、６、７又は８記載の思考補助具。
【発明の詳細な説明】
【技術分野】
【０００１】
本発明は、例えば、人の生き方や企業のあり方等の物事の指針について考える場合に用いられる思考補助具に関する。
【背景技術】
【０００２】
私たちが理想とする未来を形作るためには、理想とする未来の指針を定め、その指針に沿って物事を進めていく必要がある。
【０００３】
ところで、指針という概念について考えてみると、まず指針の基本となる要素が中核をなし、次にこの要素から生まれた具体的な要素が中核を内包する外殻となり、これら全体が相まって指針という概念を構成していると考えられる。
このとき、中核をなす基本となる要素が抽象的であるほど具体化される要素も増え、外に向かうに連れてより具体化された要素からなる外殻が、中核の周囲に幾層にも重なると考えられる。
そして、外殻をなす具体的な要素、例えば、近未来の予定を実行していくことで、指針に沿って物事を進めていくことができる。この近未来の予定の実行を補助するツールとしては、例えば特許文献１又は特許文献２に記載されたものが知られている。
【先行技術文献】
【特許文献】
【０００４】
【特許文献１】特開２００７−１４０６５３号公報
【特許文献２】特開２００４−１７８２６０号公報
【発明の概要】
【０００５】
しかしながら、指針は思考の中でのみ存在する概念であって明確に把握することが難しいので、中核をなす基本となる要素と、外殻をなす具体的な要素との間で矛盾が生じる場合があり、この場合は、物事の指針がぶれてしまうという問題が生じる。
【０００６】
このような問題に対し、特許文献１及び特許文献２等に記載されたツールは、近未来の予定等の具体的な要素のみを認識したものであって、具体的な要素を生み出す基本となる要素については全く考えられていない。そのため、特許文献１及び特許文献２記載のツールを用いて、基本となる要素及び基本となる要素から生み出される具体的な要素が相まって構成される指針を明確に把握することや、指針の中で生じる矛盾を判断することはできない。
【発明が解決しようとする課題】
【０００７】
本発明は上述した問題を鑑みて成されたものであって、物事の指針について考える場合に、指針を明確に把握するとともに、指針という概念の中で生じる矛盾を判断することができ、物事の指針がぶれることを防ぐ思考補助具を提供することをその主たる目的とするものである。
【課題を解決するための手段】
【０００８】
本発明の思考補助具は、例えば、人の生き方や企業のあり方等の物事の指針について考えるために用いられる思考補助具であって、指針に関連する事項を記入する第１記入領域が設けられたコア記入体と、指針に関連する事項であって、前記第１記入領域に記入された事項とは異なる事項を記入する第２記入領域が設けられ、前記コア記入体を内包する外殻記入体とを具備することを特徴とする。
【０００９】
本発明の思考補助具において、コア記入体の記入領域に指針の基本となる要素を記入し、外殻記入体の記入領域に該基本となる要素から生まれる具体的な要素を記載すれば、コア記入体を外殻記入体が内包する思考補助具の構造自体が、指針の概念そのものを表現することとなる。
そのため、本発明の思考補助具によって思考の中でのみ存在する概念である指針を実体化することができるので、指針を明確に把握することができるとともに、指針の中で生じる矛盾を判断することができ、物事の指針がぶれることを防ぐことができる。
【００１０】
本発明の思考補助具の具体的な一態様としては、前記第２記入領域の少なくとも一部が、記入内容を書き換え可能な書き換え可能領域であることを特徴とする。
このように構成すれば、コア記入体の記入領域に記入された事項と外殻記入体の記入領域に記入された事項との間で矛盾が生じていた場合、第２記入領域に記入された事項を書き換えることができ、矛盾を解消することができるとともに、本来の指針となるように軌道修正することができる。
【００１１】
本発明の思考補助具の別の具体的な一態様としては、前記外殻記入体が、前記コア記入体を内包した状態で、外側から前記第１記入領域を視認するための視認部を具備することを特徴とする。
このように構成すれば、コア記入体が外殻記入体に内包された状態で、視認部から第１記入領域に記入された内容を確認することができるので、思考補助具を外側から視認するだけで指針の基本となる要素を再確認することができ、物事の指針が揺らぐことを防ぐことができる。
【００１２】
本発明の思考補助具の別の具体的な一態様としては、前記外殻記入体が、前記コア記入体と比較して大きいものであることを特徴とする。
このように構成すれば、思考補助具の外側から第１記入領域を確認する場合、コア記入体が外殻記入体に内包された状態で、第１記入領域が確認しやすい位置にくるまでコア記入体を移動させることができるので、思考補助具の外側から第１記入領域を確認し易くすることができる。
【００１３】
本発明の思考補助具の別の具体的な一態様としては、前記コア記入体が、球体形状をなすものであることを特徴とする。
このように構成すれば、外殻記入体の内部をコア記入体が移動し易くなるので、思考補助具の外側から、コア記入体をさらに確認し易くすることができる。
【００１４】
本発明の思考補助具の別の具体的な一態様としては、前記外殻記入体が、前記コア記入体を出し入れするための出入口を具備することを特徴とする。
このように構成すれば、外殻記入体の第２記入領域に記入する場合に、出入口からコア記入体を取り出すことができるので、コア記入体に記入した内容と見比べながら外殻記入体に記入する内容を考えることができ、コア記入体に記入した内容と外殻記入体に記入した内容とが矛盾することをより確実に防ぐことができる。
【００１５】
本発明の思考補助具の別の具体的な一態様としては、前記外殻記入体が複数設けられ、前記複数の外殻記入体が、前記コア記入体を内包するように層構造をなすものであることを特徴とする。
このように構成すれば、外殻記入体を複数設けることによって、指針という概念をより細密に表すことができるので、指針という概念をより明確に把握することができるとともに、指針の中で生じる矛盾を判断し易くすることができる。
【００１６】
本発明の思考補助具の別の具体的な一態様としては、前記外殻記の少なくとも１つが、多面体形状をなすことを特徴とする。
指針の基本をなす要素から具体化されるにつれて記入する内容も多岐に渡り、記入量が増えていくので、このように構成すれば外殻記入体の記入領域を増やして、具体化された事項を漏れなく記載することができ、指針という概念をより明確に把握することができる。
【００１７】
本発明の思考補助具の別の具体的な一態様としては、前記コア記入体及び前記外殻記入体を収容するカバーをさらに具備し、前記カバーには、開口が設けられ、前記外殻記入体が、前記カバーに前記コア記入体及び前記外殻記入体が収容された状態で、前記開口から前記第１記入領域を視認できるように構成されていることを特徴とする。
このように構成すれば、カバーによってコア記入体及び外殻記入体に記入した内容を外部から見られることを防ぐことができるとともに、カバーに収容された状態で第１記入領域を視認することができるので、思考補助具を外側から視認するだけで指針の基本となる要素を再確認することができ、物事の指針が揺らぐことを防ぐことができる。
【発明の効果】
【００１８】
本発明によれば、物事の指針について考える場合に、指針を明確に把握するとともに、指針という概念の中で生じる矛盾を判断することができ、物事の指針がぶれることを防ぐ思考補助具を提供することができる。
【図面の簡単な説明】
【００１９】
【図１】本実施形態における思考補助具を示す斜視図。
【図２】本実施形態における思考補助具を示す斜視図。
【図３】本実施形態における第２外殻記入体と第３外殻記入体を示す斜視図。
【発明を実施するための形態】
【００２０】
本発明の思考補助具の一実施形態について、以下、図面を参照しながら説明する。
【００２１】
本実施形態の思考補助具１は、例えば、人の生き方や企業のあり方等の物事の指針について考えるために用いられる思考補助具１である。
この思考補助具１は、コア部分とコア部分を内包する複数の外殻部分とからなる所謂コアシェル構造を有するものであって、本実施形態では、指針に関連する事項を記入する第１記入領域２０が設けられたコア記入体２と、コア記入体２を内包するように層構造をなし、指針に関連する事項を記入する記入領域が設けられた複数の外殻記入体と、コア記入体２及び外殻記入体を収容するカバー６とから構成されている。
【００２２】
コア記入体２は、思考補助具１のコア部分となるものであって、球体形状をなし、その表面全体が指針に関連する事項であって、指針の基本をなす要素を記入する第１記入領域２０となるものである。なお、本実施形態では、コア記入体２（２ａ、２ｂ）は２つ設けられている。
【００２３】
外殻記入体は、本実施形態では３つ設けられており、第２記入領域３０が設けられ、コア記入体２を内包する第１外殻記入体３と、第３記入領域４０が設けられ、第１外殻記入体３を内包する第２外殻記入体４と、第４記入領域５０が設けられ、第２外殻記入体４の周囲を囲むように配置された第３外殻記入体５とを具備する。
【００２４】
第１外殻記入体３は、コア部分となるコア記入体２を内包する外殻部分となるものであって、図２に示すように、中空の球体形状をなす、例えば透明なプラスチック素材で構成されている。そして、第１外殻記入体３が透明であるので、第１外殻記入体３の全体が、コア記入体２を内包した状態で第１記入領域２０を視認するための視認部となっている。
また、球体形状全体が、指針に関連する事項であって、第１記入領域２０に記入された事項をより具体化した事項が記載される第２記入領域３０となる。この第２記入領域３０は、記入した文字をアルコール等の溶剤で消して何度でも書き換えられる書き換え可能領域となるように構成されている。
この球体形状は、コア記入体２の球体形状に比べて大きいので、第１外殻記入体３に内包された状態で、コア記入体２が第１外殻記入体３の内部を自由に移動可能となる。
中空の球体形状の略中心部分には周方向に一周するように切れ目が設けられており、この切れ目から球体形状が本体部と蓋部との２つに展開される。この本体部及び蓋部に設けられた開口がコア記入体２を出し入れするための出入口となる。
【００２５】
第２外殻記入体４は、コア記入体２及び第１外殻記入体３を内包する外殻部分となるものであって、図２に示すように、中空の概略正六面体形状をなす、例えば透明なプラスチック素材で構成されている。そして、第２外殻記入体４が透明であるので、第２外殻記入体４の全体が、コア記入体２及び第１外殻記入体３を内包した状態で第１記入領域２０及び第２記入領域３０を視認するための視認部となっている。
また、概略正六面体形状全体が、指針に関連する事項であって、第２記入領域３０に記入された事項をより具体化した事項が記載される第３記入領域４０となる。この第３記入領域４０は、記入した文字をアルコール等の溶剤で消して何度でも書き換えられる書き換え可能領域となるように構成されている。
六面体形状の一面が開口可能に設けられており、この開口がコア記入体２及び第１外殻記入体３を出し入れするための出入口となる。
【００２６】
第３外殻記入体５は、コア記入体２、第１外殻記入体３、第２外殻記入体４を内包する外殻部分となるものである。この第３外殻記入体５は、図２及び図３に示すように、例えば紙片からなる複数の記入体要素１５で構成されている。各記入体要素１５は矩形状をなし、その長手方向の略中心を軸として左右対称に円形状の開口５ａが一対設けられている。この記入体要素１５は、開口５ａが重なるように２つ折りにされて正方形状をなす状態で第２外殻記入体４の六面体の各面に対向するように、第２外殻記入体４とカバー６との間に配置される。この開口５ａがコア記入体２、第１外殻記入体３、第２外殻記入体４を内包した状態で第１記入領域２０、第２記入領域３０、第３記入領域４０を視認するための視認部となる。
そして、該記入体要素１５自体が指針に関連する事項であって、第３記入領域４０に記入された事項をより具体化した事項が記載される第４記入領域５０となる。この第４記入領域５０は、記入体要素１５を新しいものと交換することで、第３外殻記入体５に記入された内容を変更することができ、記入体要素１５自体が書き換え可能領域となる。
【００２７】
筐体形状をなすカバー６は、図１及び図２に示すように、例えば紙で構成された概略立方体形状をなすものであって、対向する一組の面がそれぞれ開閉可能に構成されている。また、概略立方形状をなす各面の中心部分には、カバー６の内部を覗くための円形状の開口（覗き窓）６ａが設けられている。さらに、カバー６には紐が通されており、この紐を首からかけることで思考補助具１が持ち運び可能となるように構成されている。また、紐にはメッセージカード１０も通されている。
【００２８】
上述したように構成した思考補助具１の使用方法について以下に説明する。
なお、以下では指針の一例である人の生き方について考える場合を例に挙げて説明する。
【００２９】
コア記入体２の第１記入領域２０に、人の生き方の基本をなす要素である価値を記入する。価値が複数ある場合にはコア記入体２を複数用意してそれぞれに記入する。本実施形態では、２つのコア記入体２ａ、２ｂにそれぞれ価値を記入する。
【００３０】
第１外殻記入体３の第２記入領域３０に、価値から生まれる具体的な要素である願望を記入する。
【００３１】
第２外殻記入体４の第３記入領域４０に、願望から生まれる具体的な要素である目標を記入する。
【００３２】
第３外殻記入体５をなす複数の記入体要素１５のそれぞれに、第２外殻記入体４に記入した目標を達成するために必要な計画、ユーザが自覚している長所、他人がユーザに感じている長所、目標を達成する補助となる人・場所・道具等、目標を達成するにあたって予測される課題と対策、未来へのユーザへのメッセージ等を記入する。このとき、記入内容によっては、記入体要素１５に記入するのは、ユーザ本人又はユーザの周囲の人のいずれであっても構わない。
また、記入体要素１５が紙片を２つ折りにした構成を有するので、記入体要素１５がメッセージカードのような体裁をなし、記入体要素に記入された内容が大切であるという意識を高めることができる。
【００３３】
また、紐に通されたメッセージカード１０には、ユーザが、見守って欲しいと願う人に向けて目標に向けて取り組む決意を記入する。
【００３４】
それぞれの記入体に記入し終えたら、コア記入体２を第１外殻記入体３に収容した後、第１外殻記入体３を第２外殻記入体４に収容する。そして、第２外殻記入体４の６面に対向するようにそれぞれ第３外殻記入体５をなす記入体要素１５を配置して、カバー６に収容する。
【００３５】
なお、メッセージカード１０は見守って欲しいと願う人に渡してもよいし、カバー６の中に入れておいてもよい。
【００３６】
このようにして出来上がった思考補助具１は、価値観の基本をなす要素である価値が記入されたコア記入体２が、価値から生まれた具体的な要素である願望が記入された第１外殻記入体３に内包されて、この第１外殻記入体３が、願望から生まれた具体的な要素である目標が記入された第２外殻記入体４に内包されて、この第２外殻記入体４が、目標の達成に関連する事項が記入された第３外殻記入体５をなす複数の記入体要素１５に取り囲まれるという構成を有する。
【００３７】
そしてユーザは、第２外殻記入体４に記入した目標の実現に向けて実際に行動を起こしてみる（以下、「実行」という）。このとき、第３外殻記入体５をなす記入体要素１５に記入した事項をツールとして用いることができる。そして、目標が達成されれば、第２外殻記入体４に記入された目標を消して新しい目標を記入する。一方、目標が達成されなければ、計画の見直しや、目標自体の変更を行い（以下、「修正」という）、記入領域に記入した事項を書き換える。
【００３８】
このとき、第１外殻記入体３、第２外殻記入体４、第３外殻記入体５のそれぞれに設けられた出入口から中に収容されたコア記入体２を取り出して、第１記入領域２０に記入された内容を見比べながら、第２記入領域３０、第３記入領域４０、第４記入領域５０に記入した内容を書きかえることもできるし、思考補助具１の外側から第１記入領域２０を眺めながら、それぞれの記入領域に記入した内容を書き換えることもできる。
【００３９】
このようにユーザは、実行と修正を繰り返して、その時々の状態に応じた思考補助具１を作り上げていく。
【００４０】
上述したように構成した本実施形態の思考補助具１は、以下のような格別な効果を有する。
【００４１】
コア記入体２の記入領域に指針の基本をなす要素を記入し、外殻記入体の記入領域に該基本をなす要素から派生する具体的な要素を記載すれば、コア記入体２を外殻記入体が内包する思考補助具１の構造自体が、指針の概念そのものを表現することとなる。
そのため、思考補助具１によって思考の中でのみ存在する概念である指針を実体化することができるので、指針を明確に把握することができるとともに、指針の中で生じる矛盾を判断することができ、物事の指針がぶれることを防ぐことができる。
また、思考補助具１を製作すれば、ユーザは自ずと指針を意識するようになり、このユーザオリジナルの思考補助具１を見たり触ったりして五感で感じることで、指針に沿って物事を進める意志や意欲を持続することができる。
【００４２】
第２記入領域３０、第３記入領域４０、第４記入領域５０が、記入内容を書き換え可能な書き換え可能領域となるように構成されているので、第１記入領域２０に記入された事項との間で矛盾が生じていた場合、第２記入領域３０、第３記入領域４０、第４記入領域５０に記入された内容を書き換えて、矛盾を解消することができるとともに、本来の指針となるように軌道修正することができる。
【００４３】
また、外殻記入体が、コア記入体２を内包した状態で、外側から第１記入領域２０を視認するための視認部を具備する、具体的には、外殻記入体が透明部材で構成されたり、開口が設けられたりしているので、思考補助具１を外側から視認するだけで指針の基本となる要素を再確認することができ、物事の指針が揺らぐことを防ぐことができる。
【００４４】
加えて、コア記入体２及び外殻記入体を収容するカバー６をさらに具備し、カバー６には、開口６ａが設けられ、外殻記入体が、カバー６にコア記入体２及び外殻記入体が収容された状態で、開口６ａから第１記入領域２０を視認できるように構成されているので、カバー６によってコア記入体２及び外殻記入体に記入した内容を外部から見られることを防ぐことができるとともに、カバー６に収容された状態で第１記入領域２０を視認して、物事の指針が揺らぐことを防ぐことができる。
【００４５】
本実施形態では、外殻記入体が複数設けられ、複数の外殻記入体がコア記入体２を内包するように層構造に設けられているので、指針という概念をより細密に表すことができ、指針という概念をより明確に把握することができるとともに、指針の中で生じる矛盾を判断し易くすることができる。
【００４６】
思考補助具１のカバー６に紐が設けられているので、思考補助具１が持ち運び可能となり、常に自分の傍らに思考補助具１を置いて指針を意識することによって、より指針に沿って物事を進め易くすることができる。
【００４７】
第１外殻記入体３が、コア記入体２と比較して大きいので、思考補助具１の外側から第１記入領域２０を確認する場合、コア記入体２が第１外殻記入体３に内包された状態で、第１記入領域２０が確認しやすい位置にくるまでコア記入体２を移動させることができるので、思考補助具１の外側から第１記入領域２０を確認し易くすることができる。
【００４８】
このとき、コア記入体２が、球体形状をなすので、第１外殻記入体３の内部をコア記入体２が移動し易くなるので、思考補助具１の外側から、コア記入体２をさらに確認し易くすることができる。
【００４９】
また、外殻記入体の少なくとも１つが多面体形状をなすので、記入体の記入領域を増やすことができ、指針の基本をなす要素から具体化されるにつれて記入する内容が多岐に渡り記入量が増えていく場合であっても、指針の基本をなす要素から生まれる具体化された事項を漏れなく記載して、指針という概念をより明確に把握することができる。さらに、本実施形態では多面体形状をなす外殻記入体が正六面体形状をなすものであるので、製造を容易にすることができる。
【００５０】
また、第３外殻記入体５をなす記入体要素１５が、紙片を２つ折りにした構成を有するので、一枚で構成したときと比べて記入領域を増やすことができるとともに、記入した面を内折りすれば、記入した内容が外部から見られることを防ぐことができる。加えて、本実施形態では、記入体要素１５を２つ折りに構成して厚みを増やしたので、記入体要素１５を第２外殻記入体４とカバー６との間に差し込みやすくすることができる。
【００５１】
本発明は、上記実施形態に限られたものではない。
【００５２】
上記実施形態では、外殻記入体が第３外殻記入体まで設けられたものであったが、外殻記入体の個数はこれに限られたものでない。
【００５３】
上記実施形態では、コア記入体及び第１外殻記入体が球状形状をなし、第２外殻記入体が六面体形状をなすものであったが、これに限られず、例えばコア記入体のみが球体形状をなし、外殻記入体が全て多面体形状をなすものであってもよいし、コア記入体も多面体形状をなすものであってもよい。
【００５４】
上記実施形態では、外殻記入領域の全てが記入内容を書き換え可能な書き換え可能領域となるように構成されているが、外殻記入体の少なくとも１つの記入領域が書き換え可能領域となるように構成されたものであればよい。
また、上記実施形態では記入領域全体が書き換え可能領域となるように構成されていたが、各記入領域の少なくとも一部が書き換え可能領域となるように構成されていてもよい。
【００５５】
第３外殻記入体を構成する記入体要素は、上述した構成に限られず、例えば２つ折りではなく一枚で構成されていても良いし、形状も正方形状に限られず、第２外殻記入体に対向するように配置できるものであれば何でもよい。
【００５６】
本発明は、その趣旨に反しない範囲で様々な変形が可能である。
【実施例】
【００５７】
本実施形態における思考補助具が、物事の指針について考える力の発達の補助となっていることを確認するために以下の試験を行った。
【００５８】
・試験内容
思考補助具を用いた授業を行う前と、思考補助具を用いた授業を行った後とで、どのような意識改革があったかを試験した。
・試験方法
被験者である４０人又は４１人の生徒に対しアンケートを配布して、「意志力」、「希望」、「意欲」、「効力感」、「積極的な他者関係」、「自己受容」、「自律」、「自己成長」、「環境調整能力」、「人生における目的」のそれぞれの項目に対し、１００点満点で自己評価をして貰った後、アンケートを回収した。
そして、アンケートの結果に基づき、それぞれの項目の平均値、標準偏差を算出した後、ｔ検定を行った
【００５９】
試験結果は以下の通りである。
【表１】
0005938070.tif 000002
【００６０】
表１に示すように、思考補助具を用いて授業を行う前と後とを比較すると、全ての項目において、平均値が上がっていることが分かる。また、ｔ検定においては、有意水準を５％としてｐ値を確認すると、「意志力」、「希望」、「意欲」、「効力感」、「積極的な他者関係」、「自己受容」、「自律」、「環境調整能力」において、有意差が見られた。
【００６１】
特に、目的追求の発達に関連する項目、すなわち、物事の指針について考える力の発達に関連する項目とされる「意志力」、「希望」、「意欲」、「効力感」において有意差が見られたことから、思考補助具を用いて授業を行う前と後とで、生徒の物事の指針について考える力が向上したと考えられる。
【符号の説明】
【００６２】
１・・・思考補助具
２・・・コア記入体
３、４、５・・・外殻記入体
２０・・第１記入領域
３０・・第２記入領域
【図１】
0005938070.tif 000003
【図２】
0005938070.tif 000004
【図３】
0005938070.tif 000005